(57)【要約】【課題】管と管継手との接合部において、従来に比して管と管継手とを堅固に接合して管と管継手との密着状態を保持させることにより、その接続状態を正確になし得ることを目的とする。【解決手段】端面４に接合させる端部２が雄ネジ３で形成された管継手１と、この管継手１と接合する側の最端部にフランジ７が形成されたパイプ６とを突き合せ、内部に押圧面１３が形成され、雌ネジ部１１を備えた締付固定具１０をパイプ６の外周に挿通させ、フランジ７の接合面８に押圧面１３を当接させた状態にして、締付固定具１０と端部２とをネジ締結することにより、フランジ７を接合面８に押圧して管継手１とパイプ６を接合させる管継手構造。これにより、管継手１とパイプ６との密着状態は保持され易くなり、管継手１とパイプ６とが接合された管路に流体が流通しても、管継手１とパイプ６との接合部１５での流体漏れを防止することができる。【選択図】        図１
2004169821.tif 000002
【特許請求の範囲】
【請求項１】
最端面を接合面とする端部が雄ネジ部で形成された管継手と、この管継手と接合する側の最端部にフランジが形成された管とを突き合せ、内部に押圧面が形成され、雌ネジ部を備えた締付固定具を管の外周に挿通させ、押圧面を接合面に当接させた状態にして、締付固定具と端部とをネジ締結することにより、フランジを接合面に押圧して管継手と管とを接合させる管継手構造。
【請求項２】
請求項１に記載の管継手構造であって、フランジと接合面との間にはシール部材が設けられている、ことを特徴とする管継手構造。
【発明の詳細な説明】
【０００１】
【発明の属する技術分野】
本発明は、管の端部にフランジを設け、この接合面と管継手の端面とを突き合わせて接合するための管継手構造に関する。
【０００２】
【従来の技術】
従来、流体を流通させる管路を形成する際、パイプと管継手とを接合する場合には、パイプの外周にスリーブとナットを挿入し、奥側に窄んだテーパ形状に形成された管継手の取付部にスリーブを挿入したパイプの端部を差し込み、パイプの外周において管継手に螺設された雄ネジとナットとを締め付けていた。
これにより、スリーブのカッティングエッジ部が、取付部のテーパ面に押し付けられてパイプの外周に食い込み、スリーブは、弾性的に湾曲して管継手とパイプの外周との隙間をなくし、管継手とパイプとを密着状態にしていた。
【０００３】
【非特許文献１】
小栗幸正  著「油圧と回路」理工学社、１９８６年３月３０日、Ｐ７−１４〜７−１５
【０００４】
【発明が解決しようとする課題】
しかしながら、従来のパイプと管継手との接合部では、管継手とナットとのネジ締結による押圧力（接合力）は、スリーブを介して継手本体の取付部のテーパ面に作用しており、パイプの軸方向に対しパイプを管継手に直に押圧していない。このため、振動や衝撃等が接合部に発生すると、パイプと管継手との相対的なズレやナットの緩み等が生じ易く、結果的にスリーブによるパイプと管継手との密着状態が解除され管内における流体の密閉性が低下して、流体漏れを引き起こしてしまう場合がある。
本発明は、このような問題点を解決するために創案されたものであり、管と管継手との接合部において、従来に比して管と管継手とを堅固に接合して管と管継手との密着状態を保持させることにより、その接続状態を正確になし得る管継手構造を提供することを目的とする。
【０００５】
【課題を解決するための手段】
上記課題を達成するための本発明の第１発明は、請求項１に記載されたとおりの管継手構造である。
請求項１に記載の管継手構造は、最端面を接合面とする端部が雄ネジ部で形成された管継手と、この管継手と接合する側の最端部にフランジが形成された管とを突き合せ、内部に押圧面が形成され、雌ネジ部を備えた締付固定具を管の外周に挿通させ、押圧面を接合面に当接させた状態にして、締付固定具と端部とをネジ締結することにより、フランジを接合面に押圧して管継手と管とを接合させる。
これにより、雌ネジ部と締付け固定具との締結による押圧力（接合力）で管継手や管の軸方向に対して管継手と管とを直に接合することができるため、管継手と管とを堅固な状態で固定することができる。
【０００６】
また、本発明の第２発明は、請求項２に記載されたとおりの管継手構造である。
請求項２に記載の管継手構造は、フランジと接合面との間にはシール部材が設けられている。
これにより、フランジと接合面との間にシール部材を介在させて管と管継手とを堅固な状態で接合すれば、管継手と管との密着状態は保持され易くなり、管と管継手とが接合された管路に流体が流通しても、管継手と管との接合部での流体漏れを防止することができる。
【０００７】
【発明の実施の形態】
以下に、本発明の実施の形態を、図１を用いて説明する。図１は、管継手１とパイプ６とが接合した状態を示す断面図である。
【０００８】
本実施の形態の管継手構造は、管継手１、外形状が円によるパイプ６、締付固定具１０、Ｏリング１４で構成され得るものであり、管継手１とパイプ６とを接合する場合において管継手１とパイプ６とを突き合せて接合することができる構造である。なお、パイプ６が本発明の管に対応し、Ｏリング１４が本発明のシール部材に対応する。
【０００９】
パイプ６には、図１に示すように、管継手１の端部２と接合する側（以下、「接合側」という。）において、例えば、Ｗクローズドバルジ加工法によってパイプ６の外壁を曲げて折り返した形状等によって形成されたフランジ７が設けられている。フランジ７の接合側（図１の右側）の面は、例えば、スーパーロール加工法等によって研磨仕上げに相当する程度の面粗さ（一例として、面粗度Ｒｍａｘで１０ｓ程度以下に相当する面粗さ）で形成されたＯリング１４と当接する接合面８になっており、この反対側の面が、締付固定具１０の押圧面１３と当接可能な被押圧面９になっている。フランジ７は、後述するように、管継手１の端部２の外周径にほぼ相当する大きさで形成され、押圧部１２の押圧面１３における最外周縁（押圧部１２の内径）より小さくなっている。
【００１０】
管継手１は、図１に示すように、その端部２の外周において雄ネジ３が螺設されており、Ｏリング１４を配置するための溝５を、本発明の接合面に相当する端面４側に有している。なお、溝５を形成している面についても、接合面８と同様に、研磨仕上げに相当する程度の面粗さで形成することが好ましい。
【００１１】
締付固定具１０は、管継手１の雄ネジ３と螺合可能な雌ネジ部１１と、パイプ６と管継手１との接合時において接合側にフランジ７を押圧する押圧部１２とから構成され、雄ネジ３と雌ネジ部１１との締結により押圧部１２の押圧面１３がパイプ６の被押圧面９を押圧するようになっている。押圧部１２の内周面１７は、接合側に開いたテーパ形状で形成され、端面１６や押圧面１３との両方の角部が面取りされている。
【００１２】
なお、押圧部１２の形状において、押圧部１２の端面１６から押圧面１３までの厚みｔは、パイプ６の外周径に対する５％以上の大きさに形成することが好ましい。
【００１３】
次に、管継手１とパイプ６との接合方法と共に、その作用について説明する。
はじめに、管継手１とパイプ６との接合方法を簡単に示す。
パイプ６接合側の反対側より、締付固定具１０の雌ネジ部１１側から締付固定具１０をパイプ６の外周に挿通させて、締付固定具１０をフランジ７に近づける。Ｏリング１４を溝５に配置し、管継手１に配設されたＯリング１４にフランジ７の接合面８を当接させて管継手１とパイプ６とを突合わせ、Ｏリング１４が一定の状態に変形するまで、パイプ６に挿通された締付固定具１０の雌ネジ部１１と管継手１の雄ネジ３とを締結させる。
これにより、管継手１とパイプ６とは、接合部１５で完全に接合された状態となる（図１の状態）。
【００１４】
以上により、本実施の形態の管継手構造に基いた管継手１とパイプ６との接合では、Ｏリング１４を介して端面４と接合面８とを突合わせて、雌ネジ部１１と雄ネジ３とを締結させるため、管継手１やパイプ６の軸方向に対し、その締結による押圧力（接合力）で管継手１とパイプ６とを堅固な状態で固定することができ、管継手１とパイプ６との密着状態は保持され易くなる。
また、Ｏリング１４は、良好な面性状（面粗さが良好）で形成された溝５内の面や接合面８に配設されているため、溝５内の面や接合面８での表面形状における凸凹によって損傷し難くなり、長期間にわたって管継手１とパイプ６との密着状態を保持することができる。
また、パイプ６等にある程度の振動や衝撃等が発生しても、その振動エネルギの一部が弾性体であるＯリング１４によって吸収され易く、パイプ６等の動作が緩衝されて、振動や衝撃等による流体漏れを防止することができる。
また、押圧部１２の内周面１７を接合側に開いたテーパ形状で形成し、内周面１７と端面１６との角部や、内周面１７と押圧面１３との角部をそれぞれ面取りすることにより、管継手１とパイプ６とが接合した状態でパイプ６等に振動や衝撃等が発生しても、これらの角部が、パイプ６の外周面やパイプ６の外周面と押圧面１３との角部等に局所的に接触しないため、パイプ６の破損を抑制することができる。
したがって、従来に比して管と管継手とを堅固に接合して管と管継手との密着状態を保持させることにより、その接続状態を正確になし得ることが可能となり、管継手１とパイプ６とが接合した状態の管路に流体が流通しても、接合部１５における流体漏れを防止することができる。
【００１５】
本発明は、上述した実施の形態に限定されるものではなく、その要旨を逸脱しない範囲内で適宜変更してもよい。
例えば、本実施の形態ではＯリング１４を配置する溝５を管継手１の端面４側に設けたが、図２に示すように、パイプ６のフランジ７にＯリング１４の溝５を配設しても良い。
【００１６】
【発明の効果】
以上詳述したように、本発明による管継手構造に基いて管と管継手とを接合すれば、管と管継手とを堅固に接合することにより管と管継手との密着状態を保持することができるため、管と管継手との管路に流体が流通しても、管と管継手との接合部における流体漏れを防止することができる。
【図面の簡単な説明】
【図１】実施の形態の管継手構造を示す断面側面図である。
【図２】管継手構造の変形例を示す断面側面図である。
【符号の説明】
１…管継手
４…端面（接合面）
５…溝
６…パイプ（管）
７…フランジ
１０…締付固定具
１４…Ｏリング（シール部材）
【図１】
2004169821.tif 000003
【図２】
2004169821.tif 000004